(57)【要約】　　　（修正有）【課題】ディスプレイ装置における背景領域のコントラストの調節方法を提供する。【解決手段】背景領域に対するビデオ信号は、背景領域モードにおいて受信される。前記ビデオ信号の利得は背景領域制御信号に応答して調節されるので、前記背景領域のコントラストは調節される。この為に、背景領域を定義するビデオ信号を受信する段階と、制御信号に応答して前記ビデオ信号の利得を設定する段階と、前記利得を調節した後に前記背景領域のコントラストを調節する手段を含む。その結果、ディスプレイ装置は高品質を有する。【選択図】　図１
2004046086.tif 000002
【特許請求の範囲】
【請求項１】
ディスプレイ装置において背景領域のコントラストを調節する方法であって、
前記背景領域を定義するビデオ信号を受信する段階と、
制御信号に応答して前記ビデオ信号の利得を設定する段階と、
前記利得を調節した後に前記背景領域のコントラストを調節する段階と、
を含むことを特徴とするディスプレイ装置における背景領域のコントラストの調節方法。
【請求項２】
前記ビデオ信号の受信段階は、ハイライト領域を定義する所定の座標を受信する段階を含み、
前記コントラストの調節段階は、前記制御信号に応答して前記ハイライト領域の外側部分のコントラストを調節することを特徴とする請求項１に記載の調節方法。
【請求項３】
前記所定の座標は、前記ハイライト領域の左上点の座標および右下点の座標を含むことを特徴とする請求項２に記載の調節方法。
【請求項４】
前記ビデオ信号の受信段階は、ハイライトイネーブル信号およびゲートイネーブル信号に応答して前記ビデオ信号を受信することを特徴とする請求項１に記載の調節方法。
【請求項５】
前記コントラストの制御段階は、前記背景領域のコントラストを下げることを特徴とする請求項１に記載の調節方法。
【請求項６】
ディスプレイ装置において背景領域のコントラストを調節する方法であって、
所定の座標を選択する段階と、
前記所定の座標に対応するハイライト領域を設定する段階と、
前記ハイライト領域の外側部分の背景領域に対するビデオ信号を受信する段階と、
背景領域制御信号に応答して前記背景領域に対する前記ビデオ信号の利得を設定する段階と、
を含むことを特徴とする調節方法。
【請求項７】
前記背景領域に対する前記ビデオ信号の利得制御段階は、ハイライトイネーブル信号およびゲートイネーブル信号に応答して前記背景領域に対する前記ビデオ信号の利得を設定することを特徴とする請求項６に記載の調節方法。
【請求項８】
ディスプレイ装置において背景領域のコントラストを調節する方法でえあって、
前記ハイライトイネーブル信号に応答して前記ハイライト領域に対するビデオ信号を受信する段階と、
ハイライト制御信号に応答して前記ハイライト領域に対する前記ビデオ信号の利得を設定する段階と、
をさらに含むことを特徴とする請求項７に記載の調節方法。
【請求項９】
ディスプレイ装置において背景領域のコントラストを調節する方法であって、
ハイライトモードまたは背景領域モードを選択する段階と、
前記選択によりハイライト制御信号に応答して前記ハイライト領域のコントラストを調節するか、あるいは、前記背景領域制御信号に応答して前記背景領域のコントラストを調節する段階と、
をさらに含むことを特徴とする請求項６に記載の調節方法。
【請求項１０】
前記コントラストの調節段階は、前記選択により前記ハイライト制御信号に応答して前記ハイライト領域のシャープネスを調節するか、あるいは、前記背景領域制御信号に応答して前記背景領域のシャープネスを調節することを特徴とする請求項９に記載の調節方法。
【請求項１１】
前記ハイライト領域のコントラストは活性化したハイライトイネーブル信号に応答して調節され、
前記背景領域のコントラストは活性化した背景領域イネーブル信号に応答して調節されることを特徴とする請求項１０に記載の調節方法。
【請求項１２】
ディスプレイ装置において背景領域のコントラストを調節する回路であって、
背景領域を表示する背景ビデオ信号を送る伝送回路と、
背景領域制御信号に応答して前記背景領域に対するビデオ信号の利得を制御することにより、前記背景領域のコントラストを調節する制御回路と、
を備えることを特徴とするディスプレイ装置における背景領域のコントラストの調節回路。
【請求項１３】
前記制御回路は、
ハイライトイネーブル信号およびゲートイネーブル信号の論理演算によって背景領域イネーブル信号を発生させる論理ゲートを備えることを特徴とする請求項１２に記載の調節回路。
【請求項１４】
前記制御回路は、ハイライトモードまたは背景領域モードを選択する選択回路を備え、
前記制御回路は、前記背景領域モードが選択される場合には前記背景領域のコントラストを調節し、前記ハイライトモードが選択される場合には前記ハイライト領域のコントラストを調節することを特徴とする請求項１２に記載の調節回路。
【請求項１５】
前記制御回路は、前記背景領域モードが選択される場合には前記背景領域のシャープネスを調節し、前記ハイライトモードが選択される場合には前記ハイライト領域のシャープネスを調節することを特徴とする請求項１４に記載の調節回路。
【請求項１６】
前記制御回路は、背景領域イネーブル信号が活性化する場合には前記背景領域のコントラストを調節し、
前記制御回路は、前記ハイライトイネーブル信号が活性化する場合には前記ハイライト領域のコントラストを調節することを特徴とする請求項１５に記載の調節回路。
【請求項１７】
ディスプレイ装置においてコントラストを調節する回路であって、
ハイライトイネーブル信号に応答して所定の座標により設定されるハイライト領域に対するビデオ信号を受信し、ハイライト領域制御信号に応答して前記ハイライト領域に対するビデオ信号の利得を制御するハイライト領域コントラスト制御回路と、
背景領域イネーブル信号に応答して前記ハイライト領域の外側部分である背景領域に対するビデオ信号を受信し、背景領域制御信号に応答して前記背景領域に対するビデオ信号の利得を制御する背景領域コントラスト制御回路と、
を備えることを特徴とするディスプレイ装置におけるコントラストの調節回路。
【請求項１８】
前記背景領域コントラスト制御回路は、
ゲートイネーブル信号およびハイライトイネーブル信号に応答して前記背景領域に対するビデオ信号を選択するスイッチング回路と、
前記背景領域制御信号に応答して前記背景領域に対するビデオ信号の利得を制御する制御回路と、
を備えることを特徴とする請求項１７に記載の調節回路。
【発明の詳細な説明】
【０００１】
【発明の属する技術分野】
本発明はコンピュータシステムに係り、より詳細には、ディスプレイ装置において背景のコントラストを調節するための方法及びその装置に関する。
【０００２】
【従来の技術】
一般に、ＴＶは低い解像度のイメージを極めて良好にディスプレイするのに対し、ディスプレイ装置（例えば、モニタ）は高い解像度のイメージを極めて良好にディスプレイする。
【０００３】
すなわち、ＴＶは動く映像（動画）を見るためのディスプレイ装置であるのに対し、コンピュータのディスプレイ装置、例えば、カラー・ディスプレイ・チューブ（以下、「ＣＤＴ」という。）はディスプレイされる所定のデータをテキストまたは静止した映像を中心として見るための装置である。
【０００４】
しかしながら、コンピュータのディスプレイ装置にディスプレイされるコンテンツがテキスト以外の写真、動く映像およびゲームなどに多様化するに伴い、テキストの表示に適するように設計された（すなわち、ＴＶよりも低いコントラストおよび／またはシャープネスを有する）従来のコンピュータディスプレイ装置は、様々なコンテンツを最適に表示するのに不向きになってきている。
【０００５】
一般に、ユーザは、動く映像を見るためにＣＤＴにディスプレイされる全体の画面のうち所望の一部の画面（以下、「部分領域」と称する。）を選択するため、ＣＤＴの物理的な特性上、テキストが出力される領域とテキストが出力されない領域とを区別せずにコントラストおよび／またはシャープネスを高めると、テキストが出力されるＣＤＴ領域は物理的に損傷を受けてしまう。
【０００６】
このため、従来のＣＤＴは、ユーザが希望する部分領域のコントラストおよび／またはシャープネスを調整して各種の動く映像をディスプレイするＴＶのカラー・ピクチャー・チューブ（ＣＰＴ）のように鮮やかで且つ明るい画質の動く映像を提供できないといった短所がある。
【０００７】
さらに、部分領域のコントラストおよび／またはシャープネスが高められるとしても、部分領域の外側領域（以下、「背景領域」と称する。）のコントラストが高い場合（すなわち、背景領域が明るい場合）には、部分領域のコントラストを高められないといった問題点がある。
【０００８】
【発明が解決しようとする課題】
本発明は上記の問題点にに鑑みてなされたものであり、その目的は、ディスプレイ装置において背景のコントラストを調節するための方法および装置を提供するところにある。
【０００９】
【課題を解決するための手段】
前記目的を達成するために、本発明に係るディスプレイ装置における背景領域のコントラストの調節方法は、前記背景領域を定義するビデオ信号を受信する段階と、制御信号に応答して前記ビデオ信号の利得を設定する段階と、前記利得を調節した後に前記背景領域のコントラストを調節する段階と、を含むことを特徴とする。
【００１０】
本発明の好適な実施の形態によれば、前記方法は、前記制御信号に応答して前記ハイライト領域の外側部分のコントラストを調節（例えば、コントラストを下げる。）する。所定の座標はハイライト領域を定義する。座標は左上点の座標および右下点の座標を含むことが望ましい。
【００１１】
さらに、本発明の好適な実施の形態によれば、前記方法は、ハイライトイネーブル信号およびゲートイネーブル信号に応答して前記ビデオ信号を受信することが望ましい。
【００１２】
さらに、本発明からは、ディスプレイ装置における背景領域のコントラストの調節回路が提供されうる。本発明の好適な実施の形態によれば、前記回路は、背景領域を表示する背景ビデオ信号を送る伝送回路と、背景領域制御信号に応答して前記背景領域に対するビデオ信号の利得を制御することにより、前記背景領域のコントラストを調節する制御回路と、を備えることを特徴とする。
【００１３】
本発明の好適な実施の形態によれば、前記制御回路は、ハイライトイネーブル信号およびゲートイネーブル信号の論理組み合わせによって背景領域イネーブル信号を発生させる論理ゲートを備えることが望ましい。
【００１４】
本発明の好適な実施の形態によれば、前記制御回路は、ハイライトモードまたは背景領域モードを選択する選択回路を備え、前記制御回路は、前記背景領域モードが選択される場合には前記背景領域のコントラストを調節し、前記ハイライトモードが選択される場合には前記ハイライト領域のコントラストを調節することが望ましい。
【００１５】
本発明の好適な実施の形態によれば、前記制御回路は、前記背景領域モードが選択される場合には前記背景領域のシャープネスを調節し、前記ハイライトモードが選択される場合には前記ハイライト領域のシャープネスを調節することが望ましい。
【００１６】
本発明の好適な実施の形態によれば、前記制御回路は、背景領域イネーブル信号が活性化する場合には前記背景領域のコントラストを調節し、前記制御回路は、前記ハイライトイネーブル信号が活性化する場合には前記ハイライト領域のコントラストを調節することが望ましい。
【００１７】
【発明の実施の形態】
以下、添付した図面に基づいて、本発明の好適な実施形態を説明することにより、本発明を詳細に説明する。図中において、同じ参照符号は同様の構成要素を表わす。
【００１８】
図１は、本発明の好適な実施形態によるコントラスト制御回路を備えるコンピュータシステムの概略的なブロック図である。図１を参照すると、コンピュータシステムは、コンピュータサイトおよびモニタサイトを備える。
【００１９】
コンピュータサイトはビデオ信号発生源１を備え、モニタサイトはコントラスト制御回路（ＩＶＰ）９、プレアンプ３、メインアンプ５およびＣＤＴ７を備える。
【００２０】
ビデオ信号発生源１はビデオ信号、すなわち、Ｒ／Ｇ／Ｂ信号Ｖｉｎｖを発生させてモニタサイトのコントラスト制御回路９に出力する。
【００２１】
さらに、コンピュータサイトの周辺回路（図示せず）は、ＣＤＴ７にディスプレイされる全体の画面のうちユーザが希望する一部の画面（以下、「部分領域」と称する。）に対する左上点の座標および右下点の座標を表わす位置情報および前記位置情報によって設定される前記部分領域の大きさを表わす領域情報を発生させてコントラスト制御回路９（以下、「ＩＶＰ」と称する。）に出力する。
【００２２】
ＩＶＰ９は、位置情報および領域情報２を受信してＣＤＴ７の解像度に応じて位置情報および領域情報２を変換する。ＣＤＴ７は、ＩＶＰ９によって変換された位置情報および領域情報に応答して前記部分領域をディスプレイする。
【００２３】
前記コンピュータサイトにおいて発生されたＲ／Ｇ／Ｂビデオ信号Ｖｉｎｖ、位置情報および領域情報２は所定のインタフェースを介してＩＶＰ９に送られる。前記所定のインタフェースとしては、直列ポート、並列ポートまたは直列汎用バス（以下、「ＵＳＢ」と称する。）を用いることができる。
【００２４】
Ｒ／Ｇ／Ｂビデオ信号Ｖｉｎｖは、位置情報および領域情報２を送るインタフェースを介してＩＶＰ９に送られるか、あるいは、位置情報および領域情報２を送るインタフェースとは異なるインタフェースを介してＩＶＰ９に送られる。
【００２５】
ＩＶＰ９は、Ｒ／Ｇ／Ｂビデオ信号Ｖｉｎｖを受信して位置情報および領域情報２に対応するＲ／Ｇ／Ｂビデオ信号Ｖｉｎｖの利得を増減したビデオ信号Ｖｏｕｔｖをプリアンプ３に出力する。
【００２６】
従って、ＩＶＰ９によってＲ／Ｇ／Ｂビデオ信号Ｖｉｎｖの利得が上がる場合には、前記部分領域のコントラストおよび／またはシャープネスは高まり、ＩＶＰ９によってＲ／Ｇ／Ｂビデオ信号Ｖｉｎｖの利得が下がる場合には、前記部分領域のコントラストおよび／またはシャープネスは低まる。
【００２７】
プレアンプ３は、ＩＶＰ９の出力信号Ｖｏｕｔｖを受信して前記部分領域に対応するビデオ信号を増幅し、メインアンプ５は、プリアンプ３の出力信号を受信して前記部分領域に対応するビデオ信号を増幅する。ＣＤＴ７は、メインアンプ５の出力信号を受信してディスプレイする装置である。
【００２８】
図２は、図１に示されたコンピュータシステムの詳細図である。図２を参照すると、コンピュータシステム１００は、コンピュータサイト１０およびモニタサイト２０を備える。コンピュータサイト１０の構造については公知の技術であるため、それについては概略的に説明する。
【００２９】
コンピュータサイト１０は、前記部分領域を設定するためのマウスなどの入力装置１１、前記部分領域の設定およびユーザインタフェースのためのソフトウェア（以下、「Ｓ／Ｗ」という。）１３、ソフトウェア１３の出力信号をモニタサイト２０に送るためのＵＳＢ１５、コンピュータシステムを制御して管理するオペレーティングシステム（以下、「Ｏ／Ｓ」という。）１７およびコンピュータサイト１０のＣＰＵ（図示せず）から出力されるグラフィックデータをモニタサイト２０に表示可能にする拡張カードであるグラフィックカード（以下、Ｇ／Ｃ）１９を備える。
【００３０】
モニタサイト２０は、ＵＳＢ２１、メイン制御ユニット（以下、「ＭＣＵ」と称する。）２５、ユーザ調整装置２３（オンスクリーンディスプレイ、以下、「ＯＳＤ」と称する。）およびＩＶＰ９を備える。ＵＳＢ２１はコンピュータサイト１０のＵＳＢ１５と電気的に接続されてコンピュータサイト１０から発生される位置情報および領域情報を受信してＭＣＵ２５に送る。
【００３１】
ＭＣＵ２５は、ＵＳＢ２１またはユーザ調整装置（ＯＳＤ）２３を介して送られる位置情報および領域情報をＩ２Ｃプロトコルにより変換し、変換された位置情報および領域情報をＩＶＰ９に出力する。
【００３２】
ＩＶＰ９は、Ｇ／Ｃ１９から出力されるＲ／Ｇ／Ｂビデオ信号を受信して位置情報および領域情報に対応する部分領域のコントラストおよび／またはシャープネスを増減（これを「ハイライト」という。）させる。
【００３３】
本発明の好適な実施形態によるＩＶＰ９は、ユーザ操作によってコンピュータサイト１０から発生される位置情報および領域情報に応答して部分領域をハイライトさせるか、あるいは、モニタサイト２０のＯＳＤ２３から発生される位置情報および領域情報に応答して部分領域をハイライトさせる。
【００３４】
図３は、ＣＤＴの全体の画面が青色としてディスプレイされる場合において、部分領域をハイライトさせるときの概念を示すタイミング図である。図３を参照して、ユーザがＣＤＴ３１上に青色としてディスプレイされる部分（ディスプレイ画面）３３において、ハイライトさせるために所定の大きさを有する領域（以下、「ハイライト領域」と称する。）を設定する場合を示す。
【００３５】
一般に、ハイライト領域３５は四角形である。しかし、ユーザによる選択またはプログラムによって四角形以外の閉曲線、例えば、円、多角形、または不規則的な形状に設定することができる。
【００３６】
図２および図３を参照して、ＩＶＰ９がハイライト領域３５をハイライトさせるプロセスについて説明すると、下記の通りである。ユーザがＣＤＴ３１のディスプレイ画面３３において、点Ａ（Ｈ−Ｓｔａｒｔ、Ｖ−Ｓｔａｒｔ）から点Ｂ（Ｈ−Ｅｎｄ、Ｖ−Ｅｎｄ）にマウスをドラッグしてハイライト領域３５を設定したとする。
【００３７】
この場合、点Ａ（Ｈ−Ｓｔａｒｔ、Ｖ−Ｓｔａｒｔ）および点Ｂ（Ｈ−Ｅｎｄ、Ｖ−Ｅｎｄ）により設定されるハイライト領域３５は、ＩＶＰ９により既に変換された領域を表わす。また、ＯＳＤ２３によりハイライト領域３５が設定できる。
【００３８】
コンピュータサイト１０のＳ／Ｗ１３は、点Ａ（Ｈ−Ｓｔａｒｔ、Ｖ−Ｓｔａｒｔ）に対応する左上点の座標および点Ｂ（Ｈ−Ｅｎｄ、Ｖ−Ｅｎｄ）に対応する右下点の座標および前記左上点の座標と、前記右下点の座標（以下、「位置情報」と称する。）により設定される領域の大きさを表わす情報（以下、「領域情報」と称する。）とを発生させる。前記位置情報および前記領域情報は所定のインタフェースを介してＩＶＰ９に送られる。
【００３９】
ＩＶＰ９は、前記位置情報および前記領域情報を受信して水平同期信号ＨＳｙｎｃまたは垂直同期信号Ｖ−Ｓｙｎｃの第１エッジ、例えば、立ち上がりエッジを基準としてカウントし、ＣＤＴの解像度に応じて、前記左上点の座標がＣＤＴにディスプレイされる位置と一致する点Ａ（Ｈ−Ｓｔａｒｔ、Ｖ−Ｓｔａｒｔ）で活性化し、前記右下点の座標がＣＤＴにディスプレイされる位置と一致する点Ｂ（Ｈ−Ｅｎｄ、Ｖ−Ｅｎｄ）で非活性化するハイライトイネーブル信号ＩＢＬＫを発生させる。すなわち、ハイライトイネーブル信号ＩＢＬＫはハイライト領域においてのみ活性化する。
【００４０】
また、ＩＶＰ９は、ハイライトイネーブル信号ＩＢＬＫが活性化する区間中に入力される青色のビデオ信号Ｖｉｎｖの利得をＶＢ１増加またはＶＢ２減少させて前記ハイライト領域をハイライトできる。
【００４１】
従って、ＩＶＰ９は、ピーク−ピーク電圧レベルＶＡを有する入力ビデオ信号Ｖｉｎｖを受信してハイライトイネーブル信号ＩＢＬＫが活性化する区間、すなわち、ハイライト領域ＨＩＧＨＬＩＧＨＴＩＮＧＢＬＵＥのビデオ信号の利得をＶＢ１だけ増加またはＶＢ２だけ減少させてハイライト領域３５をハイライトさせる。
【００４２】
しかし、ハイライト領域３５以外の領域のビデオ信号ＢＬＵＥは入力ビデオ信号Ｖｉｎｖのピーク−ピーク電圧レベルＶＡを有する。
【００４３】
例えば、入力ビデオ信号Ｖｉｎｖのピーク−ピーク電圧レベルＶＡが０．７１４Ｖである場合には、ＶＢ１およびＶＢ２はピーク−ピーク電圧レベルＶＡよりも約５ｄＢほど増減させることが好ましい。
【００４４】
水平同期信号Ｈｓｙｎｃは２０ＫＨｚ〜１２０ＫＨｚであり、垂直同期信号Ｖ−ｓｙｎｃは５０Ｈｚ〜８０Ｈｚであり、そしてシステムクロックＳｙｓ−ＣＬＫは水平解像度が１０２４である場合には２０ＭＨｚ〜１２５ＭＨｚであることが好ましい。
【００４５】
そして、点Ａ（Ｈ−Ｓｔａｒｔ、Ｖ−Ｓｔａｒｔ）および点Ｂ（Ｈ−Ｅｎｄ、Ｖ−Ｅｎｄ）をカウントするカウンタ（図示せず）は水平同期信号Ｈｓｙｎｃまたは垂直同期信号Ｖ−ｓｙｎｃの立ち上がりエッジにおいてリセットされることが好ましい。
【００４６】
図４は、本発明の好適な一実施形態によるコントラスト制御回路のブロック図である。ＩＶＰ９はＩＢＬＫ発生回路４１およびアンプＡＭＰ４５を備える。
【００４７】
ＩＢＬＫ発生回路４１は、水平同期信号Ｈｓｙｎｃおよび垂直同期信号Ｖｓｙｎｃに応答して直列データライン（ＳＤＡ）を介して直列に入力される位置情報および領域情報を受信し、ハイライトイネーブル信号ＩＢＬＫおよび並列データＩ２Ｃ＿Ｄａｔａをアンプ４５に出力する。並列データＩ２Ｃ＿Ｄａｔａは位置情報および領域情報を表わす。
【００４８】
アンプ４５は、ハイライトイネーブル信号ＩＢＬＫおよび並列データＩ２Ｃ＿Ｄａｔａを受信し、入力されるＲ／Ｇ／Ｂビデオ信号ＲＩＮ、ＧＩＮ、ＢＩＮのうちハイライトイネーブル信号ＩＢＬＫに対応するＲ／Ｇ／Ｂビデオ信号ＲＩＮ、ＧＩＮ、ＢＩＮの利得および／または幅を制御し、コントラストおよび／またはシャープネスの制御されたＲ／Ｇ／Ｂビデオ信号ＲＯＵＴ、ＧＯＵＴ、ＢＯＵＴを出力する。
【００４９】
図５は、図４に示されたハイライトイネーブル信号発生回路のブロック図である。図５を参照すると、ハイライトイネーブル信号ＩＢＬＫ発生回路４１は、データレシーバ６１、ＰＬＬシステムクロック発生回路６３、コントロールレジスタ６５、ＩＢＬＫコントローラ６７および出力回路６９を備える。
【００５０】
データレシバ６１は、Ｉ２Ｃバスのシリアル・クロック・ライン（ＳＣＬ）を介して入力されるクロックＣＬＫに応答してＩ２ＣバスのＳＤＡを介して直列に入力されるハイライト領域の位置情報および領域情報を受信してデコーディングする。
【００５１】
すなわち、データレシーバ６１はデコーダの一例であって、直列に入力されるハイライト領域の位置情報および領域情報を受信し、前記位置情報および前記領域情報を並列データＩ２Ｃ＿Ｄａｔａにデコーディングしてコントロールレジスタ６５およびアンプ４５に出力する。
【００５２】
ＰＬＬシステムクロック発生回路６３はバッファの一例であって、水平同期信号Ｈ−ｓｙｎｃおよび垂直同期信号Ｖ−ｓｙｎｃをそれぞれバッファリングしてシステムクロック信号Ｓｙｓ−ＣＬＫ、垂直パルスＶ−Ｐｕｌｓｅおよび水平パルスＨ−Ｐｕｌｓｅを出力する。
【００５３】
垂直パルスＶ−Ｐｕｌｓｅは垂直同期信号Ｖ−ｓｙｎｃと実質的に同じ信号であって、ＰＬＬシステムクロック発生回路６３によりバッファリングされた信号であり、水平パルスＨ−ｐｕｌｓｅは水平同期信号Ｈ−ｓｙｎｃと実質的に同じ信号であって、ＰＬＬシステムクロック発生回路６３によりバッファリングされた信号である。
【００５４】
システムクロック信号Ｓｙｓ−ＣＬＫはＩ２Ｃ　ＳＤＡを介して入力されるハイライト領域の位置情報および領域情報をラッチするためのゲート信号であり、１水平周期１Ｔｈｏｒ中のハイライトイネーブル信号ＩＢＬＫの解像度を決める。例えば、システムクロック信号Ｓｙｓ−ＣＬＫは水平同期信号Ｈｓｙｎｃの周波数と水平解像度との積により求められる。
【００５５】
コントロールレジスタ６５は、システムクロック信号Ｓｙｓ−ＣＬＫに応答してデータレシーバ６１の出力信号である並列データＩ２Ｃ＿Ｄａｔａをラッチし、さらに、垂直パルスＶ−Ｐｕｌｓｅが活性化する間にラッチされた並列データＦＣＮＴＬをＩＢＬＫコントローラ６７に出力する。
【００５６】
ＩＢＬＫコントローラ６７は４つの１１ビットカウンタ（図示せず）および２つの９ビットカウンタ（図示せず）を備える。ＩＢＬＫコントローラ６７はシステムクロックＳｙｓ−ＣＬＫ、水平パルスＨ−Ｐｕｌｓｅおよび垂直パルスＶ−Ｐｕｌｓｅに応答して受信されたコントロールレジスタ６５の出力信号ＦＣＮＴＬに対応する点Ａ（Ｈ−Ｓｔａｒｔ、Ｖ−Ｓｔａｒｔ）および点Ｂ（Ｈ−Ｅｎｄ、Ｖ−Ｅｎｄ）において活性化するハイライトイネーブル信号ＩＢＬＫを発生させる。
【００５７】
４つの１１ビットカウンタのそれぞれは、水平開始点（Ｈ−Ｓｔａｒｔ、Ｖ−Ｓｔａｒｔ）、水平の終点（Ｈ−Ｅｎｄ、Ｖ−Ｓｔａｒｔ）、垂直開始点（Ｈ−Ｓｔａｒｔ、Ｖ−Ｅｎｄ）および垂直の終点（Ｈ−Ｅｎｄ、Ｖ−Ｅｎｄ）をカウントし、コンピュータサイト１０において設定されたハイライト領域の位置情報および領域情報を受信してＣＤＴにディスプレイされるハイライト領域に変換する。
【００５８】
２つの９ビットカウンタのそれぞれは、ＣＤＴにディスプレイされるハイライト領域の位置を移動した場合には、移動前の点Ａ（Ｈ−Ｓｔａｒｔ、Ｖ−Ｓｔａｒｔ）および点Ｄ（Ｈ−Ｅｎｄ、Ｖ−Ｅｎｄ）と、移動後の点Ａ（Ｈ−Ｓｔａｒｔ、Ｖ−Ｓｔａｒｔ）および点Ｄ（Ｈ−Ｅｎｄ、Ｖ−Ｅｎｄ）の水平方向および垂直方向に移動した距離をカウントする。
【００５９】
水平開始点Ｈ−Ｓｔａｒｔおよび水平の終点Ｈ−Ｅｎｄをカウントするカウンタは、水平動期信号Ｈｓｙｎｃの立ち上がりエッジにおいてリセットされ、水平同期信号Ｈｓｙｎｃの一周期１Ｔｈｏｒを所定の周波数で割って位置情報および領域情報と一致する座標をＣＤＴにディスプレイする。
【００６０】
垂直開始点Ｖ−Ｓｔａｒｔおよび垂直の終点Ｖ−Ｅｎｄをカウントするカウンタは、垂直同期信号Ｖｓｙｎｃの立ち上がりエッジにおいてリセットされ、水平同期信号Ｈｓｙｎｃをカウントして位置情報および領域情報に一致する座標をＣＤＴにディスプレイする。
【００６１】
出力回路６９は、ＩＢＬＫコントローラ６７の出力信号またはＩＶＰ９の外部から入力される外部ハイライトイネーブル信号ＥＸＥＮを受信してＩＢＬＫコントローラ６７の出力信号または外部ハイライトイネーブル信号ＥＸＥＮの駆動能力を高めてハイライトイネーブル信号ＩＢＬＫを出力する。
【００６２】
外部イネーブル信号ＥＸＥＮは、Ｓ／Ｗ１３やＯＳＤ２３の出力信号に応答してＭＣＵ２５において発生される信号であって、ユーザが選択する部分領域が四角形ではない場合には四角形ではない部分領域を選択する信号である。外部イネーブル信号ＥＸＥＮは、部分領域の形状とは無関係にハイライト領域においてのみ活性化する信号である。
【００６３】
図６は、図４に示された本発明の好適な実施形態によるアンプのブロック図である。図６のアンプ４５は、Ｒチャンネルアンプ１１０、Ｇチャンネルアンプ１１２およびＢチャンネルアンプ１１４を備え、以下、説明の便宜のためにＲチャンネルアンプ１１０のみについて説明する。
【００６４】
Ｒチャンネルアンプ１１０は、制御信号発生回路７０、ハイライト領域コントラスト制御回路８０および背景領域コントラスト制御回路１００ａを備える。Ｇチャンネルアンプ１１２およびＢチャンネルアンプ１１４のそれぞれの構造および動作はＲチャンネルアンプ１１０と同様である。
【００６５】
制御信号発生回路７０は、Ｉ２Ｃバスインタフェース７３、変換回路７５およびコントラスト／シャープネス制御信号発生回路７７を備える。
【００６６】
Ｉ２Ｃバスインタフェース７３は、システムクロックＳｙｓ−ＣＬＫに応答してデータレシーバ６１の出力信号である並列データＩ２Ｃ＿Ｄａｔａを受信し、これをラッチして出力する。
【００６７】
変換回路７５は、Ｉ２Ｃバスインタフェース７３の出力信号ＬＤＡＴＡを受信してデジタル信号をアナログ電流に変換する回路である。出力信号ＬＤＡＴＡはＮビット並列データであることが好ましい。
【００６８】
図７は、図６に示された変換回路の好適な実施形態を示す。図７を参照すると、変換回路７５は、デジタル−アナログ変換器（以下、「ＤＡＣ」という。）７５１および電流−電圧変換回路７５３を備える。
【００６９】
ＤＡＣ７５１は、Ｉ２Ｃバスインタフェース７３の出力信号ＬＤＡＴＡを受信して出力信号ＬＤＡＴＡの増加に比例する各電流Ｉ＿ＳＵＢ、Ｉ＿ＣＯＮＴ１およびＩ＿ＣＯＮＴ２を発生させる。
【００７０】
アンプ４５は、それぞれのＲ／Ｇ／Ｂチャンネルのビデオ信号の利得を制御するためのＤＡＣおよびＲ／Ｇ／Ｂチャンネルのビデオ信号の利得を同時に制御するためのＤＡＣをＮ（Ｎは、自然数）個備えることができる。
【００７１】
電流−電圧変換回路７５３は、電流Ｉ＿ＳＵＢに応答して電流Ｉ＿ＳＵＢに比例するチャンネルコントラスト制御信号Ｉ２Ｃ＿ＳＵＢをチャンネルコントラスト制御回路８５に出力し、電流Ｉ＿ＣＯＮＴ１に応答して電流Ｉ＿ＣＯＮＴ１に比例するコントラスト制御信号Ｉ２Ｃ＿ＣＯＮＴ１を第１コントラスト制御回路８７に出力する。
【００７２】
従って、ハイライト領域制御信号は、チャンネルコントラスト制御信号Ｉ２Ｃ＿ＳＵＢおよびコントラスト制御信号Ｉ２Ｃ＿ＣＯＮＴ１を備える。例えば、チャンネルコントラスト制御信号Ｉ２Ｃ＿ＳＵＢは、電流Ｉ＿ＳＵＢのｔａｎｈ−１に比例しうる。
【００７３】
また、電流−電圧変換回路７５３は、電流Ｉ＿ＣＯＮＴ２に応答して電流Ｉ＿ＣＯＮＴ２に比例する背景領域制御信号Ｉ２Ｃ＿ＣＯＮＴ２を第２コントラスト制御回路１０３に出力する。
【００７４】
コントラスト／シャープネス制御信号発生回路７７は、Ｉ２Ｃバスインタフェース７３の出力信号ＬＤＡＴＡを受信してスイッチング信号Ｓｈ＿ＳＷ、シャープネス利得制御信号Ｓｈａｒｐ＿Ｇおよびシャープネスピーク幅制御信号Ｓｈａｒｐ＿Ｗをシャープネス制御回路８３に出力する。
【００７５】
シャープネス利得制御信号Ｓｈａｒｐ＿Ｇおよびシャープネスピーク幅制御信号Ｓｈａｒｐ＿ＷはそれぞれＮ（Ｎは自然数）ビットで制御できるが、本発明の好適な実施形態においては３ビットを有することが好ましい。
【００７６】
ハイライト領域コントラスト制御回路８０は、クランプ回路８１、シャープネス制御回路８３、第１スイッチング回路ＳＷ１、チャンネルコントラスト制御回路８５、第１コントラスト制御回路８７、ビデオアンプ８９、入力バッファ９１、ミキサー９３および出力バッファ９５を備える。
【００７７】
クランプ回路８１は、Ｒチャンネルに入力されるＲビデオ信号Ｖｉｎｖ（ＲＩＮ）と所定の基準電圧ＶＣＲＥＦとを比較し、その比較の結果に基づいて所定の範囲にクランピングされたビデオ信号Ｒａを第１スイッチング回路ＳＷ１に出力する。
【００７８】
すなわち、クランプ回路８１は、ネガティブフィードバックを用いて水平イネーブル信号Ｈ−Ｐｕｌｓｅの活性化区間中に入力ビデオ信号Ｖｉｎｖ（ＲＩＮ）のローレベルと基準電圧ＶＣＲＥＦとが一致するまでサンプリングした後、入力ビデオ信号ＲＩＮのローレベルと基準電圧ＶＣＲＥＦとが一致する場合にはクランピングされたビデオ信号Ｒａを第１スイッチング回路ＳＷ１に出力する。
【００７９】
例えば、基準電圧ＶＣＲＥＦが直流２Ｖであり、入力ビデオ信号ＲＩＮの電圧レベルがピーク−ピーク０．７１４Ｖｐｐである場合には、クランプ回路８１は水平イネーブル信号Ｈ−Ｐｕｌｓｅの活性化区間中に入力ビデオ信号ＲＩＮのローレベル（例えば、０Ｖ）が２Ｖになるまでサンプリングする。この場合、クランピングされたビデオ信号Ｒａの電圧レベルはピーク−ピーク０．７１４Ｖｐｐである。
【００８０】
第１スイッチング回路ＳＷ１は、ハイライトイネーブル信号ＩＢＬＫに応答してクランプ回路８１の出力信号Ｒａをシャープネス制御回路８３または入力バッファ９１に出力する。すなわち、第１スイッチング回路ＳＷ１は、活性化（例えば「ハイ」）したハイライトイネーブル信号ＩＢＬＫに応答してクランプ回路８１の出力信号Ｒａを接点ａを介してシャープネス制御回路８３に出力するか、あるいは、非活性化（例えば、「ロー」）したハイライトイネーブル信号ＩＢＬＫに応答してクランプ回路８１の出力信号Ｒａを接点ｂを介して入力バッファ９１に出力する。
【００８１】
入力バッファ９１は、クランプ回路８１の出力信号Ｒａをバッファリングし、バッファリングされた信号Ｒｖｃを第２スイッチＳＷ３に出力する。入力バッファ９１の利得は０ｄＢであることが好ましい。
【００８２】
シャープネス制御回路８３は、制御信号Ｓｈａｒｐ＿Ｇ、Ｓｈａｒｐ＿Ｗ、Ｓｈ＿ＳＷに応答して入力されるビデオ信号Ｒｖａのピークの幅および利得を調節する。図８は、図６に示されたシャープネス制御回路８３の回路図および出力波形を示す図である。
【００８３】
図８を参照すると、シャープネス利得制御信号Ｓｈａｒｐ＿Ｇは、ビデオ信号ＲｖａのピークΔＧ１またはΔＧ２を制御するための制御信号であり、シャープネスピーク幅制御信号Ｓｈａｒｐ＿Ｗは、ビデオ信号Ｒｖａのピーク幅ΔＷを制御するための制御信号である。第３スイッチング回路ＳＷ２は、スイッチング信号Ｓｈ＿ＳＷに応答してシャープネス制御回路本体８３１のオン／オフを制御する。
【００８４】
シャープネス制御回路本体８３１は、シャープネス利得制御信号Ｓｈａｒｐ＿Ｇに応答してピーク−ピーク電圧ＶＡを有するビデオ信号を基準として０〜５０％の範囲内において利得を調節する。
【００８５】
また、シャープネス制御回路本体８３１は、シャープネスピーク幅制御信号Ｓｈａｒｐ＿Ｗに応答して５０ｎｓ〜６００ｎｓの可変範囲を有するピーク幅ΔＷを調節する。ビデオ信号Ｒｖａのシャープネスは、シャープネス利得制御信号Ｓｈａｒｐ＿Ｇおよび／またはシャープネスピーク幅制御信号Ｓｈａｒｐ＿Ｗに応答して制御される。
【００８６】
チャンネルコントラスト制御回路８５は、チャンネルコントラスト制御信号Ｉ２Ｃ＿ＳＵＢに応答してシャープネス制御回路８３の出力信号Ｖｓｈａｒｐの利得（すなわち、コントラスト）を制御する。
【００８７】
従って、Ｒチャンネルに入力されるビデオ信号ＲＩＮの利得はチャンネルコントラスト制御回路８５により制御される。チャンネルコントラスト制御回路８５による利得の可変範囲は、０〜１．５ｄＢであることが好ましい。
【００８８】
チャンネルコントラスト制御回路８５は、Ｒ／Ｇ／Ｂチャンネルごとにそれぞれ存在し、それぞれのＲ／Ｇ／Ｂチャンネルに入力されるビデオ信号の利得のみを制御する。
【００８９】
第１コントラスト制御回路８７は、コントラスト制御信号Ｉ２Ｃ＿ＣＯＮＴ１に応答してチャンネルコントラスト制御回路８５の出力信号の利得を制御する。また、第１コントラスト制御回路８７は、コントラスト制御信号Ｉ２Ｃ＿ＣＯＮＴ１に応答してＲ／Ｇ／Ｂチャンネルに入力されるビデオ信号の利得を同時に制御する。
【００９０】
第１コントラスト制御回路８７による利得の可変範囲は、０〜３．５ｄＢであることが好ましい。
【００９１】
ビデオアンプ８９は、コントラスト制御回路８７の出力信号を受信して受信された信号の利得を最大５ｄＢまで増幅する。ビデオアンプ８９の出力信号Ｒｖｄは０〜１．２Ｖｐｐの範囲を有することが好ましい。
【００９２】
背景領域コントラスト制御回路１００ａは、論理ゲート１０１、第２スイッチング回路ＳＷ３および第２コントラスト制御回路１０３を備える。
【００９３】
論理ゲート１０１は、ゲートイネーブル信号Ｅｎａｂｌｅおよび反転されたハイライトイネーブル信号ＩＢＬＫに応答して背景領域イネーブル信号ＩＢＬＫ２を発生させて第２スイッチング回路ＳＷ３に出力する。論理ゲート１０１は、ＮＡＮＤゲートで構成されてもよいが、これに限定されず、様々な変形が可能である。
【００９４】
第２スイッチング回路ＳＷ３は、背景領域イネーブル信号ＩＢＬＫ２に応答して入力バッファ９１の出力信号Ｒｖｃを接点ｃを介して第２コントラスト制御回路１０３に出力し、または接点ｄを介してミキサー９３に出力する。
【００９５】
例えば、第２スイッチング回路ＳＷ３は、活性化（例えば「ハイ」）した背景領域イネーブル信号ＩＢＬＫ２に応答して入力バッファ９１の出力信号Ｒｖｃを接点ｃを介して第２コントラスト制御回路１０３に出力し、または、非活性化（例えば、「ロー」）した背景領域イネーブル信号ＩＢＬＫ２に応答して入力バッファ９１の出力信号Ｒｖｃを接点ｄを介してミキサー９３に出力する。
【００９６】
伝送回路またはスイッチング回路は、第１スイッチング回路ＳＷ１および第２スイッチング回路ＳＷ３を備え、ゲートイネーブル信号Ｅｎａｂｌｅおよびハイライトイネーブル信号ＩＢＬＫに応答して背景領域に対するビデオ信号を第２コントラスト制御回路（または制御回路１０３）に出力し、第２コントラスト制御回路（または制御回路１０３）は背景領域制御信号Ｉ２Ｃ＿ＣＯＮＴ２に応答して入力されるビデオ信号Ｒｖｃの利得を制御するために、ユーザは背景領域のコントラストを制御することができる。
【００９７】
第２コントラスト制御回路１０３の出力信号は０Ｖから０．７１４Ｖｐｐまで変化させることができ、背景領域のコントラストを下げることができる。
【００９８】
結果として、第２コントラスト制御回路１０３は、背景領域に対するビデオ信号の利得を下げてハイライト領域を視覚的に目立たせることができる。
【００９９】
ミキサー９３は、ビデオアンプ８９の出力信号Ｒｖｄおよび第２コントラスト制御回路１０３の出力信号Ｒｖｅを合成し、または、ビデオアンプ８９の出力信号Ｒｖｄおよび入力バッファ９１の出力信号を合成してその結果Ｒｖｆを出力バッファ９５に出力し、出力バッファ９５は、ミキサー９３の出力信号Ｒｖｆをバッファリングし、バッファリングされた出力信号Ｖｏｕｔｖ（ＲＯＵＴ）をプリアンプ（図１の３）に出力する。
【０１００】
図９は、図６に示されたアンプを構成する各回路の出力波形図である。図６および図９を参照し、本発明の好適な実施形態によるハイライト領域および背景領域のコントラストおよび／またはシャープネスを制御する方法について詳細に説明する。
【０１０１】
図３に示されたように、ハイライト領域３５は、所定の座標ＡおよびＢにより設定される。ハイライトイネーブル信号ＩＢＬＫが活性化する場合（これを「ハイライトモード」と称する。）には、第１スイッチング回路ＳＷ１は接点ａと接触する。
【０１０２】
従って、第１スイッチング回路ＳＷ１は、ハイライトイネーブル信号ＩＢＬＫが活性化する間にのみクランプ回路８１の出力信号Ｒａをシャープネス制御回路８３に送る。
【０１０３】
従って、ハイライト領域コントラスト制御回路８０は、制御信号Ｓｈ＿ＳＷ、Ｓｈａｒｐ＿Ｇ、Ｓｈａｒｐ＿Ｗおよびハイライト領域制御信号Ｉ２Ｃ＿ＳＵＢおよびＩ２Ｃ＿ＣＯＮＴ１に応答してハイライト領域（図３の３５）のコントラストおよび／またはシャープネスを制御し、その結果Ｒｖｄをミキサー９３に出力する。
【０１０４】
すなわち、各制御回路８３、８５、８７、及びアンプ８９は、図６に示された制御信号Ｓｈ＿ＳＷ、Ｓｈａｒｐ＿Ｇ、Ｓｈａｒｐ＿Ｗ、ハイライト領域制御信号Ｉ２Ｃ＿ＳＵＢおよびＩ２Ｃ＿ＣＯＮＴ１に応答してハイライト領域３５に対するビデオ信号Ｒｖａの利得、ピークおよびピーク幅を制御したビデオ信号Ｒｖｄをミキサー９３に出力する。
【０１０５】
また、ハイライトイネーブル信号ＩＢＬＫが非活性化して背景領域イネーブル信号ＩＢＬＫ２が活性化する場合（これを「背景領域モード」と称する。）には、第１スイッチＳＷ１は接点ｂと接触し、第３スイッチＳＷ３は接点ｃと接触する。
【０１０６】
従って、ビデオ信号Ｖｉｎｖ（ＲＩＮ）のうち背景領域に対するビデオ信号は接点ｂ、入力バッファ９１および接点ｃを介して第２コントラスト制御回路１０３に入力される。背景領域モードにおいて、第２コントラスト制御回路１０３は、背景領域制御信号Ｉ２Ｃ＿ＣＯＮＴ２に応答して背景領域に対するビデオ信号の利得を制御することにより、前記背景領域のコントラストを制御することができる。従って、ユーザは、背景領域のコントラストを調節することができる。
【０１０７】
図１０は、本発明の好適な実施形態による背景領域のコントラストの調節方法を示すフローチャートである。図２および図１０を参照すると、モニタサイトのＩＶＰ９はマウス１１またはＯＳＤ２３を介して設定される所定の座標を受信し、受信された所定の座標に対応するハイライト領域を設定する（ステップ１３１）。
【０１０８】
ステップ１３３において、ＩＶＰ９は、ハイライトイネーブル信号ＩＢＬＫの活性化の有無を判断し、ハイライトイネーブル信号ＩＢＬＫが活性化した場合には（ステップ１３３で「はい」）、ハイライト領域のコントラストおよび／またはシャープネスを調節する（ステップ１３５）。すなわち、ハイライトモードにおいて、ハイライト領域のコントラストおよび／またはシャープネスは、ハイライト領域制御信号Ｉ２Ｃ＿ＳＵＢ、Ｉ２Ｃ＿ＣＯＮＴ１に応答して制御される。
【０１０９】
これに対し、ハイライトイネーブル信号ＩＢＬＫが非活性化して背景領域イネーブル信号ＩＢＬＫ２が活性化する場合には（ステップ１３３で「いいえ」）、ＩＶＰ９は、ハイライト領域の外側領域である背景領域のコントラストを下げる（ステップ１３７）。すなわち、背景領域モードにおいて、背景領域のコントラストは、背景領域制御信号Ｉ２Ｃ＿ＣＯＮＴ２に応答して制御される。
【０１１０】
従って、本発明の好適な実施形態による背景領域モードにおける背景領域のコントラストの制御方法によれば、視覚的に高品質のビデオ信号を提供することができる。
【０１１１】
ステップ１３９において、ＩＶＰ９は、ハイライトモードのビデオ信号および背景領域モードのビデオ信号を合成する。
【０１１２】
ユーザは、ハイライトモードまたは背景領域モードを選択することができる。従って、ユーザは、ハイライトモードにおいて、ハイライト領域コントラスト制御回路８０を用いてハイライト領域のコントラストおよび／またはシャープネスを制御できるだけではなく、背景領域モードにおいて、背景領域コントラスト制御回路１００ａを用いて背景領域のコントラストを制御できる。なお、背景領域モードにおいて、背景領域のシャープネスを制御するように構成されてもよい。
【０１１３】
上述したように、本発明の好適な実施の形態に係る背景領域のコントラストの制御方法および制御回路によれば、ユーザが背景領域のコントラストまたはビデオ信号の利得を調節できるため、ハイライト領域において提供される様々なコンテンツを最適に提供することができる。
【０１１４】
また、本発明の好適な実施の形態に係る背景領域のコントラストの制御方法および制御回路によれば、ユーザが背景領域のコントラストを制御できるので、視覚的に高品質のハイライト領域を提供することができる。
【０１１５】
なお、本発明は図面に示された一実施形態を参考として説明されたが、これは単なる例示的なものに過ぎず、当業者であれば、これらによって各種の変形および均等な他の実施形態が可能であるという点が理解できよう。よって、本発明の真の技術的な保護範囲は、特許請求の範囲の技術的な思想によって定まるべきである。
【０１１６】
【発明の効果】
本発明によれば、ディスプレイ装置において背景のコントラストを調節するための方法及び装置を提供することができる。
【図面の簡単な説明】
【図１】本発明の好適な実施形態によるコントラスト制御回路を備えるコンピュータシステムの概略的なブロック図である。
【図２】図１に示されたコンピュータシステムの詳細図である。
【図３】ＣＤＴの全体の画面が青色にディスプレイされる場合において、部分領域をハイライトさせる概念を示すタイミング図である。
【図４】本発明の好適な実施形態によるコントラスト制御回路のブロック図である。
【図５】図４に示されたハイライトイネーブル信号ＩＢＬＫ発生回路のブロック図である。
【図６】図４に示された本発明の好適な実施形態によるアンプのブロック図である。
【図７】図６に示された変換回路の実施形態を示す図面である。
【図８】図６に示されたシャープネス制御回路の回路図および出力波形図である。
【図９】図６に示されたアンプを構成する各回路の出力波形図である。
【図１０】本発明の好適な実施形態によるハイライト領域および背景領域のコントラストの制御方法を示すフローチャートである。
【図１】
2004046086.tif 000003
【図２】
2004046086.tif 000004
【図３】
2004046086.tif 000005
【図４】
2004046086.tif 000006
【図５】
2004046086.tif 000007
【図６】
2004046086.tif 000008
【図７】
2004046086.tif 000009
【図８】
2004046086.tif 000010
【図９】
2004046086.tif 000011
【図１０】
2004046086.tif 000012